(57)【要約】【課題】投射された映像光の画質を劣化させずにそのまま表示可能であり、透過型スクリーンの正面側と背面側とを行き来することが可能な透過型スクリーンおよびこれを備えた映像表示装置を提供する。【解決手段】映像表示装置１Ａは、映像光を投射するプロジェクタ２０と、映像光を背面側で受光し正面側に透過させて表示する透過型スクリーン１０Ａと、を有してなる。透過型スクリーン１０Ａは、可撓性を有する帯状のシート１１ａを、長手方向の一端部の高さ位置を揃えて面方向に複数枚並べると共に、映像光の透過方向に複数枚重ね合わせてなり、シート１１ａを映像光の透過方向に複数枚重ね合わせた状態で当該透過型スクリーンの表示面において拡散角が３０度以上となっている。【選択図】図１
2011128604.tif 000002
【特許請求の範囲】
【請求項１】
背面側で受光した映像光を正面側に透過させて映像を表示する透過型スクリーンであって、
可撓性を有する帯状のシートを、面方向に複数枚並べると共に、前記映像光の透過方向に複数枚重ね合わせ、
前記シートを前記映像光の透過方向に複数枚重ね合わせた状態で、当該透過型スクリーンの表示面において拡散角が３０度以上となる
ことを特徴とする透過型スクリーン。
【請求項２】
前記シートを、前記映像光の透過方向に、重なり合う枚数の差が３枚を超えないように２〜６枚重ね合わせた
ことを特徴とする請求項１に記載の透過型スクリーン。
【請求項３】
隣り合う前記シートの間の切れ目が前記映像光の透過方向に連続して重ならないように、前記シートを、前記面方向の位置をずらして前記映像光の透過方向に複数枚重ね合わせた
ことを特徴とする請求項１または請求項２に記載の透過型スクリーン。
【請求項４】
前記面方向に複数枚並べた前記シートの上端部をフレームに取り付けてなるスクリーンシートを、隣り合う前記シートの間の切れ目が前記映像光の透過方向に連続して重ならないように、前記面方向の位置をずらして前記映像光の透過方向に複数枚重ね合わせた
ことを特徴とする請求項１または請求項２に記載の透過型スクリーン。
【請求項５】
前記シートが台形状のシートであって、
前記スクリーンの上端部が、前記台形状のシートの短辺部と長辺部とを交互に繋げて形成されている
ことを特徴とする請求項１から請求項４のいずれか一項に記載の透過型スクリーン。
【請求項６】
前記シートが台形状のシートであって、
前記スクリーンの上端部が、前記台形状のシートの短辺部を繋げて形成されている
ことを特徴とする請求項１から請求項４のいずれか一項に記載の透過型スクリーン。
【請求項７】
前記シートに音響透過用の微小な穴部を複数設けた
ことを特徴とする請求項１から請求項６のいずれか一項に記載の透過型スクリーン。
【請求項８】
請求項１から請求項７のいずれか一項に記載の透過型スクリーンを備えた映像表示装置であって、
前記透過型スクリーンと、
前記透過型スクリーンの背面側に配置され、当該透過型スクリーンの背面側に映像光を投射するプロジェクタと、を備える
ことを特徴とする映像表示装置。
【発明の詳細な説明】
【技術分野】
【０００１】
プロジェクタによって観察者側（正面側）と反対側（背面側）から投射された映像を正面側に透過させて表示する透過型スクリーンと、これを備えた映像表示装置に関する。
【背景技術】
【０００２】
いわゆる背面投射型の映像表示装置に用いられる従来の透過型スクリーンは、主に、アクリル板等の剛体でなるもの（例えば、特許文献１参照）と、ビニール等の可撓性のある透明または半透明状のシート部材でなるもの（例えば、特許文献２参照）とに区別される。
【先行技術文献】
【特許文献】
【０００３】
【特許文献１】特開２００７−４１３４４号公報
【特許文献２】特許第３３９３２４４号公報
【発明の概要】
【発明が解決しようとする課題】
【０００４】
ここで、近年、観察者の臨場感を高めるために、湾曲した形状の透過型スクリーンを配置し、プロジェクタから投射された映像光を立体的に表示する手法が広く行われている。このとき、観察者の臨場感をより高めるためには、透過型スクリーンが、プロジェクタから投射された映像の画質を維持したまま表示できることが望ましい。
【０００５】
また、近年、演劇等の舞台演出で、舞台上に透過型スクリーンを設置し、この透過型スクリーンに背景を表示して使用することがある。このような場合、舞台上の出演者等を入れ替えるときには、通常、舞台袖もしくは舞台下の空間が利用される。しかし、この方法では移動にある程度の時間を要するため、舞台演出上、場面転換等で迅速に舞台上の出演者等を入れ替えたい場合に支障があった。このとき、透過型スクリーンの背面側の空間を利用して出演者等を入れ替えることができれば、迅速にかつ自然に場面転換することができる。このため、透過型スクリーンの正面側と背面側とを行き来することが可能な構造の透過型スクリーンの開発が要望されている。
【０００６】
しかしながら、従来のスクリーンでは、前記した課題を解決することができなかった。その理由は以下の通りである。
特許文献１に記載の透過型スクリーンは、剛性のあるアクリル板で形成されているため、湾曲した形状とすることができなかった。また、特許文献１に記載の透過型スクリーンは、一枚の連続した板状部材であるため、人や物等を通過させることができなかった。
【０００７】
また、特許文献２に記載の透過型スクリーンは、ビニールシートを複数枚継ぎ合わせることで半球ドーム状になるように形成されているが、このような方法によると、ビニールシートのつなぎ目が目立ってしまい、この部分に表示される映像の画質を維持することが困難であった。
また、このような半球ドーム状のビニールシートを支持部材に取り付ける際に、しわやたるみが生じたり、その一部が重なったりしてしまう場合があった。このように、しわやたるみが生じると、その部分に表示される映像が潰れて不鮮明となってしまう。また、特許文献２のビニールシートは、映像光を充分に拡散させるために充分な量の拡散材を含有していると考えられるが、その一部が重なってしまうと、重なった部分は、光の拡散が倍になることによって光の量が半分以下となってしまい、重なった部分に表示される映像が暗く不鮮明となってしまう。これを避けるためには、各ビニールシートの寸法と支持部材の寸法を正確に合わせ、かつ、各ビニールシートを支持部材に正確に取り付けることが必要であるが、設計上、非常に困難であった。また、特許文献２に記載の透過型スクリーンは、ビニールシートを複数枚継ぎ合わせることで半球ドーム状とし、この透過型スクリーンの周縁部を円形湾曲状の透明なビニールシートで密着密閉して透過型スクリーンと円形湾曲状のビニールシートの密閉空間内に、空気入れ口より空気を注入して所定の形状を保つように形成しているため、人や物等を通過させることができなかった。
【０００８】
本発明は、前記課題に鑑みてなされたものであり、投射された映像光の画質を劣化させずに表示可能であり、透過型スクリーンの正面側と背面側とを行き来することが可能な構造の透過型スクリーンを提供することを課題とする。
【課題を解決するための手段】
【０００９】
前記課題を解決するために、請求項１に記載の透過型スクリーンは、背面側で受光した映像光を正面側に透過させて映像を表示する透過型スクリーンであって、可撓性を有する帯状のシートを、面方向に複数枚並べると共に、前記映像光の透過方向に複数枚重ね合わせ、前記シートを前記映像光の透過方向に複数枚重ね合わせた状態で、当該透過型スクリーンの表示面において拡散角が３０度以上となることを特徴とする。
【００１０】
ここで、拡散角とは、透過型スクリーン正面の明るさに対して斜めから見たときに明るさが半分になるときの角度をいうものである。通常、舞台等で透過型スクリーンを使用する場合には、それぞれの劇場において透過型スクリーンと客席との配置が異なることを考慮しても、３０度以上の拡散角が必要である。したがって、１枚で用いられる透過型スクリーンにおいても、表示面において拡散角が３０度以上となるように構成されている。
【００１１】
請求項１に係る透過型スクリーンによれば、シートを、映像光の透過方向に複数枚重ね合わせた状態で当該透過型スクリーンの表示面において拡散角が３０度以上となるように構成した。つまり、シートを、映像光の透過方向に複数枚重ね合わせた状態で、１枚で用いられる透過型スクリーンと同等の光の拡散を得る構成としている。これによれば、シート１枚当たりの光の拡散が１枚で用いられる透過型スクリーンよりも低くなるので、シートにしわやたるみができた部分においても、十分な光の量を得ることができる。このため、透過型スクリーンの表示面に、良好な画質で映像光を表示することができる。なお、表示面とは、映像光を透過して表示する面のことをいう。
【００１２】
また、透過型スクリーンは、可撓性を有する帯状のシートを、長手方向の一辺部の高さ方向の位置を揃えて面方向に複数枚並べているので、隣り合うシートの間の切れ目から、透過型スクリーンの正面側と背面側とを行き来することが可能となる。これによれば、透過型スクリーンの背面側の空間を有効利用することが可能となる。
【００１３】
さらに、透過型スクリーンは、可撓性を有するシートによって構成されているので、変形させやすく、例えば、湾曲した形状の枠に、透過型スクリーンを構成するシートの長手方向の一辺部を取り付けることで容易に湾曲した形状とすることができる。
【００１４】
またさらに、シートを並べる枚数を調整することで、透過型スクリーンの面の大きさを所望の寸法に調整することが可能となり、利便性が高くなる。また、透過型スクリーンの一部が破損・劣化しても、シートを部分的に交換することで修復することができるので、利便性が高くなる。
【００１５】
請求項２に記載の透過型スクリーンは、請求項１に記載の透過型スクリーンにおいて、前記シートを、前記映像光の透過方向に、重なり合う枚数の差が３枚を超えないように２〜６枚重ね合わせたことを特徴とする。
【００１６】
これによれば、シートを、映像光の透過方向に、重なり合う枚数の差が３枚を超えないように２〜６枚重ね合わせたため、つまり、透過型スクリーンの表示面においてシートが重なり合う枚数の差が大きくなりすぎないようにしたため、透過型スクリーンの表示面に表示された映像の明るさのばらつきを少なくすることができる。このため、正面側から映像を見たときに、明るさの差を感じない自然な見え方とすることができる。
【００１７】
請求項３に記載の透過型スクリーンは、請求項１または請求項２に記載の透過型スクリーンにおいて、前記シートは、隣り合う前記シートの間の切れ目が前記映像光の透過方向に連続して重ならないように、前記面方向の位置を互いにずらして前記映像光の透過方向に複数枚重ね合わせたことを特徴とする。
【００１８】
かかる構成によれば、隣り合うシートの間の切れ目が映像光の透過方向に連続して重ならないようにシートを複数枚重ね合わせて配置しているので、透過型スクリーンの正面側から観察者が映像を見たときに、切れ目の線が目立たないようにすることができる。このため、透過型スクリーンの表示面に良好な画質の映像を途切れなく表示することが可能となる。
【００１９】
請求項４に記載の透過型スクリーンは、請求項１または請求項２に記載の透過型スクリーンにおいて、前記面方向に複数枚並べた前記シートの長手方向における一端部をフレームに取り付けてなるスクリーンシートを、隣り合う前記シートの間の切れ目が前記映像光の透過方向に連続して重ならないように、前記面方向の位置を互いにずらして前記映像光の透過方向に複数枚重ね合わせたことを特徴とする。
【００２０】
かかる構成によれば、シートの長手方向における一端部をフレームに取り付けてなるスクリーンシート単位で、面方向の位置をずらす調整を行うことできるので、より容易かつ確実に、隣り合うシートの間の切れ目が映像光の透過方向に連続して重ならないようにすることができる。このため、より確実に、透過型スクリーンの表示面に良好な画質で映像を途切れなく表示することが可能となる。
【００２１】
請求項５に記載の透過型スクリーンは、請求項１から請求項４のいずれか一項に記載の透過型スクリーンにおいて、前記シートが台形状のシートであって、前記台形状のシートの短辺部と長辺部とが前記面方向に交互に配置されるように、前記シートを面方向に複数枚配置したことを特徴とする。
【００２２】
かかる構成によれば、隣り合う台形状のシートの上下方向の向きが逆向きとなるように、シートを面方向に複数枚並べて配置しているので、シートが透過方向に重なり合う面積を増やすことができる。このため、透過方向に少ない枚数で隣り合うシートの間の切れ目の線を、より目立たなくすることができる。このため、透過型スクリーンの表示面により良好な画質で映像を途切れなく表示することが可能となる。
【００２３】
請求項６に記載の透過型スクリーンは、請求項１から請求項４のいずれか一項に記載の透過型スクリーンにおいて、前記シートが台形状のシートであって、前記台形状のシートの短辺部が前記面方向に繋がって配置されるように、前記シートを面方向に複数枚配置したことを特徴とする。
【００２４】
かかる構成によれば、台形状のシートの短辺部が面方向に繋がって配置されるように、シートを面方向に複数枚並べて配置したことで、透過型スクリーンは、上端部から下端部に向かうにつれて幅が広くなる台形状に形成されるので、例えば、透過型スクリーンの上端側を、湾曲した形状の枠の頂部に取り付けたときに、頂部と下端部とで重なり合う枚数を略均等にすることができる。これによれば、透過型スクリーンを湾曲した形状とした場合であっても、透過型スクリーンの表示面に良好な画質で映像を表示することが可能となる。
【００２５】
請求項７に記載の透過型スクリーンは、請求項１から請求項６のいずれか一項に記載の透過型スクリーンにおいて、前記シートに音響透過用の微小な穴部を複数設けたことを特徴とする
【００２６】
かかる構成によれば、シートに音響透過用の微小な穴部を複数設けたことにより、透過型スクリーンの背面側に設けられたスピーカから出力された音を、この穴部を通過させて観客席側に伝えることができるので、透過型スクリーンの音響特性を向上させることができる。
また、穴部を複数設けたシートが、映像光の透過方向に連続して重ならないように、面方向の位置をずらして映像光の透過方向に複数枚重ね合わせられているので、投射機によって透過型スクリーンの背面側から投射された映像光のうち、シートに設けられた穴部から正面側の観客席に直接漏れだす映像光の割合を少なくすることができる。このため、画質を良好に維持しつつ、音響を透過させることが可能となる。
【００２７】
請求項８に記載の映像表示装置は、請求項１から請求項７のいずれか一項に記載の透過型スクリーンを備えた映像表示装置であって、前記透過型スクリーンと、前記透過型スクリーンの背面側に配置され、当該透過型スクリーンの背面側に映像光を投射するプロジェクタと、を備えることを特徴とする。
【００２８】
かかる構成によれば、プロジェクタから投射された映像光の画質を維持したまま透過型スクリーンに表示することが可能となる。また、透過型スクリーンの正面側と背面側とを行き来することが可能となる。
【発明の効果】
【００２９】
請求項１に係る透過型スクリーンによれば、映像光の画質を劣化させることなく、良好な画質で映像を表示することができる。また、容易に湾曲した形状とすることができる。さらに、透過型スクリーンの正面側と背面側とを行き来することが可能となるので、透過型スクリーンを例えば舞台上に設置して利用する場合等に、背面側の空間を有効に活用することができる。
請求項２に係る透過型スクリーンによれば、透過型スクリーンの表示面に映像を表示したときの映像の明るさのばらつきを抑制することができる。
請求項３に係る透過型スクリーンによれば、透過型スクリーンを正面側から見たときに、隣り合うシートの間の切れ目の線を目立たなくすることができる。また、透過型スクリーンの表示面に良好な画質の映像を途切れなく表示することができる。
請求項４に係る透過型スクリーンによれば、より確実に、透過型スクリーンの表示面に良好な画質の映像を途切れなく表示することが可能となる。
請求項５に係る透過型スクリーンによれば、隣り合うシートの間の切れ目の線をより目立たなくすることができるので、透過型スクリーンの表示面により良好な画質で映像を途切れなく表示することが可能となる。
請求項６に係る透過型スクリーンによれば、透過型スクリーンを湾曲した形状とした場合であっても、透過型スクリーンの表示面に良好な画質で映像を表示することが可能となる。
請求項７に係る透過型スクリーンによれば、画質を良好に維持しつつ、良好な音響特性を得ることができる。
請求項８に係る透過型スクリーンによれば、プロジェクタから投射された映像光の画質を維持したまま透過型スクリーンに表示することが可能となる。また、透過型スクリーンの正面側と背面側とを行き来することが可能となる。
【図面の簡単な説明】
【００３０】
【図１】本発明の第１実施形態に係る透過型スクリーンを含む映像表示装置を示す全体構成図である。
【図２】図１における第１実施形態に係る透過型スクリーンの構成を説明するための概念図である。
【図３】シートが透過方向に重なり合う枚数の設定について説明するための概念図である。
【図４】本発明の第２実施形態に係る透過型スクリーンを含む映像表示装置を示す全体構成図である。
【図５】図４における第２実施形態に係る透過型スクリーンを側方から見た図である。
【図６】（ａ）は、本発明の第１実施形態に係る透過型スクリーンの変形例に係る透過型スクリーンの構成を説明するための正面図であり、（ｂ）は、本発明の第２実施形態に係る透過型スクリーンの変形例に係る透過型スクリーンの構成を説明するための正面図である。
【図７】本発明の変形例に係る透過型スクリーンを構成するシートの構成を示す平面図である。
【図８】（ａ）は、本発明の変形例に係る透過型スクリーンにおいてシートが重なり合う様子を概念的に示した平面図であり、（ｂ）は、（ａ）のように配置されたシートを、シートの長手方向に対して垂直方向に切断したときの任意部分（例えば、Ａ部分）の拡大断面図である。
【図９】（ａ）は、図８（ｂ）に示した部分における音の進路を示した概念図であり、（ｂ）は、図８（ｂ）に示した部分における映像光の進路を示した概念図である。
【発明を実施するための形態】
【００３１】
（第１実施形態）
以下、本発明の第１実施形態に係る映像表示装置１Ａについて、図１および図２を参照して説明する。
図１および図２に示すように、第１実施形態に係る映像表示装置１Ａは、透過型スクリーン１０Ａと、プロジェクタ２０と、を備えて構成される。図１では、映像表示装置１Ａを舞台Ｓ上に設置した様子を示している。なお、以下の説明で、上下左右方向、および、映像光の透過方向は図面に記載した通りとする。
【００３２】
透過型スクリーン１０Ａは、プロジェクタ２０から一面側（背面側）に投射された映像光を他面側（正面側）に透過させて映像を表示するものである。
【００３３】
透過型スクリーン１０Ａは、可撓性を有する帯状のシート１１ａを、長手方向の一端部の高さ方向の位置を揃えて面方向に複数枚並べると共に、映像光の透過方向に複数枚重ね合わせてなる。つまり、シート１１ａは、長手方向の向きが舞台の上下方向の向きに沿うように、シート１１ａの面方向に沿って複数枚並べられると共に、透過方向に複数枚重ね合わされている。
【００３４】
この透過型スクリーン１０Ａは、シート１１ａを映像光の透過方向に複数枚重ね合わせた状態で当該透過型スクリーン１０Ａの表示面において拡散角が３０度以上となっている。
ここで、拡散角とは、透過型スクリーン正面の明るさに対して斜めから見たときに明るさが半分になるときの角度をいうものである。通常、舞台等で透過型スクリーンを使用する場合には、それぞれの劇場において透過型スクリーンと客席との配置が異なることを考慮しても、３０度以上の拡散角が必要である。拡散角が３０度より小さいと、客席の隅、例えば、壁際等では、透過型スクリーンに表示された映像が暗くなってしまい、映像を視認しづらくなるためである。なお、拡散角の最大値は、９０度である。このため、１枚で用いられる透過型スクリーンにおいても、表示面において拡散角が３０度以上（かつ９０度以下）となるように構成されている。
【００３５】
透過型スクリーン１０Ａは、シート１１ａを映像光の透過方向に複数枚重ね合わせた状態で当該透過型スクリーン１０Ａの表示面において拡散角が３０度以上（かつ９０度以下）となっている、つまり、シート１１ａを、映像光の透過方向に複数枚重ね合わせた状態で、１枚で用いられる透過型スクリーンと同等の光の拡散を得る構成としている。これによれば、シート１１ａの１枚当たりの光の拡散を１枚で用いられる透過型スクリーンの光の拡散よりも小さくしているので、シート１１ａが重なり合う部分においても適度な光の量が得られる。また、シート１１ａにしわやたるみができた部分においても、十分な光の量を得ることができる。したがって、その部分に表示される映像の画質劣化が防止される。また同様に、シート１１ａの一部にしわやたるみがある場合であっても同様に適度な光の量が得られるので、その部分に表示される映像の画質劣化が防止される。このため、透過型スクリーン１０Ａの表示面に、良好な画質で映像光を表示することができる。なお、表示面とは、映像光を透過して表示する面のことをいう。
【００３６】
なお、映像光は、シート１１ａを透過する毎に拡散されていく、つまり、プロジェクタ２０から見て、映像光の透過方向における一番手前のシート１１ａで拡散した映像光が次のシート１１ａでさらに拡散されることになる。このように、シート１１ａを透過する毎に映像光が拡散されていくため、シート１１ａを重ね合わせる枚数が増えるにつれて全体の拡散角が増えることになる。
従って、例えば、映像光の透過方向に複数枚重ね合わせたシート１１ａによって得られるトータルの拡散角を、例えば６０度としたい場合には、シート１１ａを３枚重ね合わせるときよりもシート１１ａを５枚重ね合わせるときの方が、シート１１ａの１枚あたりの拡散角を小さく設定する必要がある。
【００３７】
前記した拡散角は、例えば、次のように言い換えて表現することもできる。
透過型スクリーン１０Ａを構成するシート１１ａは、１枚で用いられる透過型スクリーンにおいて映像光を表示できる光の拡散の許容範囲内の値をＭとしたときに、１枚当たりの光の拡散がＭ／Ｎである。ここで、Ｎは、映像光の透過方向に設けるシート１１ａの枚数を示す。なお、光の拡散とは、シート１１ａあるいは１枚で用いられる透過型スクリーンを映像光が透過するときに、散乱されて拡がるときの拡がりの程度をいうものとする。
【００３８】
ここで、１枚で用いられる透過型スクリーンにおいて映像光を表示できる光の拡散の許容範囲内の値Ｍは、最も好ましい値を１としたときに０．６〜１．５である。
光の拡散が０．６より小さいと、明るくなりすぎてしまい、映像を正確に表示できないためであり、一方、光の拡散が１．５より大きいと、暗くなりすぎてしまい、映像を正確に表示できないためである。１枚で用いられる透過型スクリーンにおいて映像光を表示できる光の拡散の許容範囲内の値をＭとしたときに、１枚当たりの光の拡散がＭ／Ｎであるシート１１ａを映像光の透過方向にＮ枚重ね合わせて透過型スクリーン１０Ａを構成することで、透過型スクリーン１０Ａは、１枚で用いられる透過型スクリーンの光の拡散と略同等の光の拡散を得ることが可能となる。
【００３９】
また、シート１１ａは、映像光の透過方向に、重なり合う枚数の差が３枚を超えないように２〜６枚重ね合わせると好ましい。ここでは、シート１１ａは、同程度の光の拡散が得られるものとする。
図２に示すように、透過型スクリーン１０Ａは、ここでは、表示面において、シート１１ａを、映像光の透過方向に重なり合うシート１１ａの枚数の差が３枚を超えないように４枚重ね合わせて構成している。これにより、映像を結像させやすく鮮明に表示することができ、かつ、透過型スクリーン１０Ａの表示面に、略同等の明るさで映像を表示することができる。また、映像光の透過方向に重なり合うシート１１ａの枚数の差が３枚を超えないようにすることで、透過型スクリーン１０Ａの表示面に映像を表示したときの明るさのばらつきを抑制することができる。
【００４０】
より詳しく説明すると、図３に示すように、例えば、同程度の光の拡散が得られるシート１１ａが面方向および映像光の透過方向に複数枚並べられているときに、矢印Ａで示すように、映像光の透過方向にシート１１ａが２枚重なった部分と、矢印Ｂで示すように、映像光の透過方向にシート１１ａが６枚重なった部分とでは、光の拡散の差が大きすぎてしまう、つまり、光の量の差が大きすぎてしまう。具体的には、２枚重なった部分に対し、６枚重なった部分は、光が拡散されすぎてしまい、明るさが暗くなりすぎてしまう。これによると、正面側から見たときに、映像の明るさのムラが目立ってしまい、それぞれの部分に表示された映像の見え方に差が生じてしまうこととなる。その一方、図３の矢印Ｃで示すように、映像光の透過方向にシート１１ａが４枚重なった部分と、矢印Ｂで示すように、映像光の透過方向にシート１１ａが６枚重なった部分とでは、光の拡散の差が近接している、つまり、光の量の差を抑制することができる。このように、光の量の差が近接していると、正面側から見たときに、映像の明るさのムラを目立たなくすることができ、それぞれの部分に表示された映像の見え方に差が生じにくくすることができる。つまり、正面側から映像を見たときに、明るさの差を感じない自然な見え方とすることができる。
【００４１】
以上から、シート１１ａを映像光の透過方向に、重なり合う枚数の差が３枚を超えないように２〜６枚重ね合わせると好ましい。この範囲とすると、透過型スクリーン１０Ａの表示面に、映像を鮮明に表示することができ、かつ、正面側から映像を見たときに、明るさの差を感じない自然な見え方とすることができる。なお、前記した例では、シート１１ａの光の拡散を全て同じとしているが、異ならせたものを組み合わせて用いても良い。
【００４２】
なお、シート１１ａを映像光の透過方向に２枚設ける場合には、面方向に隙間ができないように密接させて配置する。面方向に隙間があると、隣り合うシート１１ａ、１１ａの間の切れ目Ｃの線が目立ってしまうと共に、シート１１ａが映像光の透過方向に１枚しか設けられない部分ができてしまうので、シート１１ａが２枚設けられている部分との光の量の差が大きくなりすぎてしまうことにより、透過型スクリーン１０Ａに表示される映像の画質が劣化してしまうため好ましくない。
【００４３】
なお、シート１１ａの１枚当たりの透過率は高いが、このシート１１ａを映像光の投射方向に２〜６枚重ね合わせることによって、透過型スクリーン１０Ａを形成しているので、映像を表示したときに、透過型スクリーン１０Ａの正面側から背面側の空間が透けて見えることはない。
【００４４】
また、図２に示すように、透過型スクリーン１０Ａは、隣り合うシート１１ａ、１１ａ間の切れ目Ｃの線が映像光の透過方向に連続して重ならないように、シート１１ａ、１１ａの面方向の位置をずらして映像光の透過方向に複数枚重ね合わせている。例えば、図２に示すように、隣り合うシート１１ａ、１１ａの間に、少なくとも一つの他のシート１１ａの面が重なるように面方向の位置を互いにずらして配置することで、隣り合うシート１１ａ、１１ａ間の切れ目Ｃの線が映像光の透過方向に連続して重ならないようにしている。これによって、隣り合うシート１１ａ、１１ａの間の切れ目Ｃの線を目立たなくすることができると共に、透過型スクリーン１０Ａの表示面に良好な画質の映像を途切れなく表示することができる。なお、面方向に隙間ができないように、隣り合うシート１１ａ、１１ａ同士を近接させて並べることが好ましい。
【００４５】
また、ここでは透過型スクリーン１０Ａは、シート１１ａの長手方向の一端部を、高さ方向の位置を揃えて面方向に複数枚並べると共に、映像光の透過方向に重なり合うシート１１ａの枚数の差が３枚を超えないように４枚重ね合わせて、シート１１ａの長手方向の一端部を、高さ方向の位置を揃えて、フレーム３０Ａに取付部材３１を介して吊り下げることで、平面形状となっている。このような透過型スクリーン１０Ａによれば、シート１１ａの下端部１１ａ２側を左右方向や上下方向等に自由動かすことができるので、人や物等が透過型スクリーン１０Ａの正面側と背面側を行き来することが可能となる。
また、シート１１ａを枠の形状に合わせて貼り付ける等の手間を省くことができる。
【００４６】
なお、シート１１ａを個別にフレーム３０Ａに取り付けるのではなく、予めシート１１ａの長手方向の一端部を、高さ方向の位置を揃えてフレーム（図示せず）に面方向にＮ枚並べて取り付けてスクリーンシート（図示せず）を形成し、このスクリーンシート（図示せず）を映像光の透過方向に、隣り合う前記シート１１ａ、１１ａの間の切れ目Ｃが映像光の透過方向に連続して重ならないように、面方向の位置を互いにずらして複数枚（ここでは、４枚）重ね合わせることによっても、透過型スクリーン１０Ａを形成することができる。これによれば、スクリーンシート（図示せず）単位で面方向の位置をずらす調整が行えるので、面方向の位置の調整がしやすくなり、より確実に隣り合うシート１１ａ、１１ａの間の切れ目Ｃ部分が映像光の透過方向に連続して重ならないようにすることができる。
【００４７】
次に、シート１１ａについて説明する。
シート１１ａは、例えば、ナイロンやポリエステルや軟質の塩化ビニール樹脂のような可撓性を有し、かつ、透過率が高い素材に、光拡散性を持たせる加工を施してなる。光拡散性を持たせるための加工としては、例えば、前記したような素材のシートの表面にシリカ（ＳｉＯ２）等の光拡散粒子を吹き付けたり、不透明なガラスをビーズ状にしたものを混入したり、サンドブラスト法等によって表面を粗面加工したりすることができる。
【００４８】
なお、シート１１ａの厚さは、適宜調整することができるが、映像光の透過方向に複数枚並べることを考慮し、１枚当たりの厚さを薄くすることが好ましい。シート１１ａの厚さを薄くすると、シート１１ａが軽量となるので、シート１１ａを動かしやすくなる。このため、透過型スクリーン１０Ａの正面側と背面側とを行き来する場合に利便性が高い。
【００４９】
なお、シート１１ａの幅は、適宜設定することができるが、０．５〜５ｃｍの範囲で設定すると好ましい。この範囲とすると、透過型スクリーン１０Ａとしたときに隣り合うシート１１ａ、１１ａの間の切れ目Ｃの線の間隔を小さくすることができ、正面側から見たときに切れ目Ｃの線を目立たなくすることができる。なお、１〜２ｃｍの範囲で設定すると、より製造が簡便となるのでより好ましい。
【００５０】
次に、映像表示装置１Ａの構成要素であるプロジェクタ２０について説明する。プロジェクタ２０は、透過型スクリーン１０Ａに映像光を投射するものであり、ここでは透過型スクリーン１０Ａの背面側に、舞台Ｓの長手方向に所定間隔を空けて２台設置されている。それぞれのプロジェクタ２０は、透過型スクリーン１０Ａの異なる領域に映像を投射している。それぞれのプロジェクタ２０から投射された映像は、透過型スクリーン１０Ａ上で合成されて連続した１つの映像として表示されることとなる。
【００５１】
プロジェクタ２０は、光学ユニット（図示せず）を主に有している。光学ユニット（図示せず）は、制御手段（図示しない）から送信された映像信号を映像光に変換して、この映像光を透過型スクリーンに背面側から入射させるものであって、光源部と、光源部の光出射方向に配置される液晶パネルと、液晶パネルと同軸上に配置される投影レンズ（いずれも図示せず）と、を主に有して形成されている。
【００５２】
光源部（図示せず）は、透過型スクリーン１０Ａに映像を表示するための光源となるものであって、制御手段（図示せず）から送信された制御信号に基づいて発光する。光源部（図示せず）には、白色ランプ、高圧水銀灯、ＬＥＤなど公知の手段が適宜用いられる。また、液晶パネル（図示せず）は、制御手段（図示しない）からの制御信号に基づき、映像光の基準となる映像を表示するものであり、主に、液晶、偏光フィルタ、配向膜、電極、ＲＧＢのカラーフィルタなどを有して形成される。投射レンズ（図示せず）は、液晶パネル（図示せず）から入射した映像光を、レンズ面を透過させることにより、透過型スクリーンに投射するものである。投射レンズ（図示せず）は、公知の拡大レンズが一枚、もしくは、複数枚組み合わされて形成される。また、必要に応じて、凹レンズも組み合わされる。
【００５３】
次に、映像表示装置１Ａの使用態様について図１を参照して説明する。
図１に示すように、透過型スクリーン１０Ａの背面側に配置した２台のプロジェクタ２０から、透過型スクリーン１０Ａにそれぞれ映像光を投射すると、当該映像光が、透過方向に複数枚設けられたシート１１ａを透過して反射あるいは屈折し、拡散されて正面側に出射されることによって、透過型スクリーン１０Ａの正面側に映像を表示することができる。
【００５４】
ここで、図１に示すように、舞台Ｓ上では、出演者Ｐ１と出演者Ｐ２とで金品の受け渡し取引が行われるというストーリーの進行に合わせて、警官役の出演者Ｐ３が、出演者Ｐ１と出演者Ｐ２の取引の瞬間をおさえるべく、透過型スクリーン１０Ａの背面側から正面側に通り抜けて舞台Ｓ上に姿を現し、出演者Ｐ１と出演者Ｐ２との取引の様子を背後から伺っている。透過型スクリーン１０Ａによれば、このような演出が可能となるため、ストーリーの進行を阻害したり、雰囲気を壊したりすることなく、円滑に出演者等を入れ替えることができる。
【００５５】
また例えば、透過型スクリーン１０Ａを舞台Ｓ上に設置して背景等を表示して使用する場合に、場面転換等に備えて透過型スクリーン１０Ａの背面側の空間に小道具等をあらかじめ置いておくこと等もできるので、舞台Ｓ上で使用する場合に、迅速な場面転換の実現にも寄与することができる。
【００５６】
以上説明したように、第１実施形態に係る透過型スクリーン１０Ａによれば、可撓性を有する帯状のシート１１ａを、長手方向の一端部の高さ方向の位置を揃えて面方向に複数枚並べると共に、映像光の透過方向に複数枚重ね合わせてなり、シート１１ａを映像光の透過方向に複数枚重ね合わせた状態で当該透過型スクリーン１０Ａの表示面において拡散角が３０度以上となる構成としたので、１枚で用いられる透過型スクリーンと同等の光の拡散を得ることができると共に、スクリーン１１Ａが重なった部分に表示される映像の画質の劣化を防止することができ、透過型スクリーンの表示面に良好な画質で映像光を表示することができる。
【００５７】
また、透過型スクリーン１０Ａは、表示面において、映像光の透過方向に重なり合うシート１１ａの枚数の差が３枚を超えないように映像光の透過方向にシート１１ａを４枚設けてなるため、透過型スクリーン１０Ａの表示面に、明るさの差を感じない自然な見え方となるように映像を表示することができる。
【００５８】
また、透過型スクリーン１０Ａは、シート１１ａの長手方向の一端部が、取付部材３１によりフレーム３０Ａに吊り下げられることで、所定の状態で維持されており、シート１１ａの下端部１１ａ２を自由に動かすことができるので、透過型スクリーン１０Ａの正面側と背面側とを行き来することが可能となる。また、シート１１ａを枠に貼り付ける等の手間を省くことができる。
【００５９】
またさらに、隣り合うシート１１ａ、１１ａ間の切れ目Ｃが映像光の透過方向に連続して重ならないように、面方向の位置を互いにずらして映像光の透過方向に複数枚重ね合わせられているので、透過型スクリーン１０Ａを正面側から見たときに、シート１１ａ、１１ａの間の切れ目Ｃの線を目立たなくすることができると共に、透過型スクリーン１０Ａの表示面に良好な画質の映像を途切れなく表示することができる。
【００６０】
さらに、透過型スクリーン１０Ａは、可撓性を有する帯状のシート１１ａを複数枚用いてなるので、透過型スクリーン１０Ａの一部が破損・劣化しても、シート１１ａを部分的に交換することで修復することができるので、利便性が高くなる。
【００６１】
なお、第１実施形態では、シート１１ａの長手方向の一端部を取付部材３１によりフレーム３０Ａに吊り下げたが、これに限られるものではなく、シート１１ａの長手方向の一端部を接着剤等によってフレーム３０Ａに直接貼り付けても良い。また、シート１１ａの下端側にもフレーム（図示せず）を設け、このフレーム（図示せず）にそれぞれのシート１１ａの下端部分を、取り付けても良い。これによれば、それぞれのシート１２ａを所定の位置に位置決めすることができるので、例えば、透過型スクリーン１０Ａを傾けて使用した場合でも、映像を良好に表示することができ、利便性が高くなる。なお、シート１１ａは、可撓性を有するので上端部と下端部の双方を固定したとしても、人や物等を通過させる場合に支障をきたすことはない。
また、ここでは、シート１１ａを細長い矩形状としたが、これに限られるものではなく、適宜変更することができる。
【００６２】
（第２実施形態）
次に、本発明の第２実施形態に係る映像表示装置１Ｂについて図４および図５を参照して説明する。第２実施形態に係る映像表示装置１Ｂは、透過型スクリーン１０Ｂと、プロジェクタ２０と、を主に備えて構成される。第２実施形態に係る映像表示装置１Ｂは、透過型スクリーン１０Ｂが湾曲した形状である点で、平面形状である透過型スクリーン１０Ａと相違する。透過型スクリーン１０Ｂの構成は、透過型スクリーン１０Ａと同様であるので、適宜図２を参照し説明を省略する。
【００６３】
図４および図５に示すように、透過型スクリーン１０Ｂは、可撓性を有する帯状のシート１１ａを、長手方向の一端部の高さ方向の位置を揃えて面方向に複数枚並べると共に、映像光の透過方向に複数枚重ね合わせてなる。
【００６４】
また、透過型スクリーン１０Ｂは、シート１１ａを映像光の透過方向に複数枚重ね合わせた状態で当該透過型スクリーン１０Ｂの表示面において拡散角が３０度以上となっている、つまり、シート１１ａを、映像光の透過方向に複数枚重ね合わせた状態で、１枚で用いられる透過型スクリーンと同等の光の拡散を得る構成としている。なお、表示面とは、映像光を透過して表示する面のことをいう。
【００６５】
さらに、透過型スクリーン１０Ｂは、表示面において、映像光の透過方向に重なり合うシート１１ａの枚数の差が３枚を超えないように映像光の透過方向に、シート１１ａを２〜６枚重ね合わせてなる。また、シート１１ａは、隣り合うシート１１ａ、１１ａ間の切れ目Ｃが映像光の透過方向に連続して重ならないように、面方向の位置を互いにずらして映像光の透過方向に重ね合わせられている。
【００６６】
ここでは、それぞれのシート１１ａの長手方向の一端部を、円弧状の支柱３０Ｂａが格子状に組み合わされてなるフレーム３０Ｂの最も頂部側の支柱３０Ｂａの周囲に取付部材３１によって吊り下げると、シート１１ａの他の部分がフレーム３０Ｂに沿って円弧状に湾曲する。このようにして湾曲した形状の透過型スクリーン１０Ｂが形成される。
【００６７】
プロジェクタ２０は、ここでは、透過型スクリーン１０Ｂの背面側に、高さ方向の位置を変えて３台配置されている。それぞれのプロジェクタ２０は、透過型スクリーン１０Ｂの異なる領域に映像を投射している。それぞれのプロジェクタ２０から投射された映像は、透過型スクリーン１０Ｂ上で合成されて連続した１つの映像として表示されることとなる。
【００６８】
このような第２実施形態に係る透過型スクリーン１０Ｂを含む映像表示装置１Ｂは、第１実施形態に係る映像表示装置１Ａと同様に、舞台Ｓ上に設置して使用することができる。
【００６９】
以上説明した第２実施形態に係る透過型スクリーン１０Ｂによれば、第１実施形態に係る透過型スクリーン１０Ａの作用に加え、プロジェクタ２０から投射された映像を立体的に表示することができるので、観客Ｏに高い臨場感を与えることができる。また、可撓性を有する帯状のシート１２ａを映像光の透過方向に複数枚重ね合わせてなるので、透過型スクリーン１０Ａの形状に合わせた支持部材を形成したり、この支持部材にシートを正確に貼り付けたりする必要がなく、透過型スクリーン１０Ｂを容易に形成することができる。
【００７０】
（変形例）
次に、第１実施形態に係る映像表示装置１Ａにおける透過型スクリーン１０Ａの変形例に係る透過型スクリーン１０Ｃ（変形例１）および透過型スクリーン１０Ｂの変形例に係る透過型スクリーン１０Ｄ（変形例２）について、図１および図６を参照して説明する。
【００７１】
まず、変形例１に係る透過型スクリーン１０Ｃについて説明する。
変形例１に係る透過型スクリーン１０Ｃは、スクリーン１１Ｃを構成するシート１１ｃの形状が細長い台形状である点で、スクリーン１１Ａを構成するシート１１ａが細長い矩形状である第１実施形態に係る透過型スクリーン１０Ａと相違する。このため、その他の第１実施形態に係る透過型スクリーン１０Ａと共通する構成要素については、同一の符号を付し、重複する説明を省略する。
【００７２】
図６（ａ）に示すように、透過型スクリーン１０Ｃは、可撓性を有する台形状のシート１１ｃを、短辺部１１ｃ１と長辺部１１ｃ２とが面方向に交互に配置されるように、複数枚並べると共に、映像光の透過方向に複数枚重ね合わせてなり、正面視で平面形状となっている。
【００７３】
また、透過型スクリーン１０Ｃは、シート１１ｃを映像光の透過方向に複数枚重ね合わせた状態で当該透過型スクリーン１０Ｃの表示面において拡散角が３０度以上となっている、つまり、シート１１ｃを、映像光の透過方向に複数枚重ね合わせた状態で、１枚で用いられる透過型スクリーンと同等の光の拡散を得る構成としている。なお、表示面とは、映像光を透過して表示する面のことをいう。
【００７４】
なお、ここでは、図示を省略するが、透過型スクリーン１０Ｃは、表示面において、映像光の透過方向に重なり合うシート１１ｃの枚数の差が３枚を超えないように映像光の透過方向に、シート１１ｃを２〜６枚設けてなる。
【００７５】
シート１１ｃは、１枚で用いられる透過型スクリーンにおいて映像光を表示できる光の拡散の許容範囲内の値をＭとしたときに１枚当たりの光の拡散がＭ／Ｎとなっている。ここで、Ｎは、映像光の透過方向に設けるシート１１ｃの枚数を示す。また、１枚で用いられる透過型スクリーンにおいて映像光を表示できる光の拡散の許容範囲内の値Ｍは、最も好ましい値を１としたときに０．６〜１．５である。理由は、第１実施形態のシート１１ａの説明において述べた通りであるので、ここでは説明を省略する。
【００７６】
また、シート１１ｃは、短辺部１１ｃ１の幅ｄ１が長辺部１１ｃ２の幅ｄ２よりも小さくなっており、平面視台形状をなしている。シート１１ｃの短辺部１１ｃ１の幅ｄ１および長辺部１２ｃ２の幅ｄ２は、適宜設定することができるが、例えば、長辺部１１ｃ２の幅ｄ２が短辺部１１ｃ１の幅ｄ１の倍程度となるように形成すると好ましい。このようにすると、シート１１ｃが映像光の透過方向に重なり合う面積を増やすことができ、隣り合うシート１１ｃ、１１ｃの間の切れ目の線をより目立たなくすることができる。このため、透過型スクリーン１０Ｃの表示面により良好な画質で映像を途切れなく表示することが可能となる。
【００７７】
また、このようなシート１１ｃを、短辺部１１ｃ１と長辺部１１ｃ２とが面方向に交互に配置されるように例えば２枚並べると、上端側の幅と下端側の幅が一致する平面視矩形状のシート（図示せず）となる。つまり、図６（ａ）に示すように、上端側と下端側の幅のいずれも、シート１１ｃの短辺部１１ｃ１の幅ｄ１と長辺部１１ｃ２の幅ｄ２とを合わせた幅のとなる。このようにして、シート１１ｃを面方向に複数配置すると、図６（ａ）に示すような平面視矩形状の透過型スクリーン１０Ｃを形成することができる。
【００７８】
このような透過型スクリーン１０Ｃを、第１実施形態に係る映像表示装置１Ａの透過型スクリーン１０Ａに替えて適用することで、第１実施形態に係る映像表示装置１Ａと同様の作用を得ることができる。
【００７９】
次に、変形例２に係る透過型スクリーン１０Ｄについて説明する。
変形例２に係る透過型スクリーン１０Ｄは、スクリーン１１Ｃを構成するシート１１ｃの形状が細長い台形状である点で、スクリーン１１Ｂを構成するシート１１ｂが細長い矩形状である第２実施形態に係る透過型スクリーン１０Ｂと相違する。このため、その他の共通する構成要素については、同一の符号を付し、重複する説明を省略する。また、変形例２に係るスクリーン１１Ｃおよびスクリーン１１Ｃを構成するシート１１ｃは、変形例１に係るスクリーン１１Ｃおよびシート１１ｃと同じものであるので、ここでは、重複する説明を省略する。
【００８０】
図６（ｂ）に示すように、透過型スクリーン１０Ｄは、可撓性を有する台形状のシート１１ｃの短辺部１１ｃ１が面方向に繋がって配置されるように、シート１１ｃを、面方向に複数枚並べると共に、映像光の透過方向に複数枚重ね合わせてなり、正面視で台形状となっている。
【００８１】
また、透過型スクリーン１０Ｄは、シート１１ｃを映像光の透過方向に複数枚重ね合わせた状態で当該透過型スクリーン１０Ｄの表示面において拡散角が３０度以上となっている、つまり、シート１１ｃを、映像光の透過方向に複数枚重ね合わせた状態で、１枚で用いられる透過型スクリーンと同等の光の拡散を得る構成としている。また、シート１１ｃは、前記したように、短辺部１１ｃ１の幅ｄ１が長辺部１１ｃ２の幅ｄ２よりも小さくなっており、平面視台形状をなしている。なお、表示面とは、映像光を透過して表示する面のことをいう。
【００８２】
なお、ここでは、図示を省略するが、透過型スクリーン１０Ｄは、表示面において、映像光の透過方向に重なり合うシート１１ｃの枚数の差が３枚を超えないように映像光の透過方向に、シート１１ｃを２〜６枚設けてなる。
【００８３】
このようにして構成された透過型スクリーン１０Ｄは、上端部から下端部に向かうにつれて幅が広くなる台形状となるので、上端側を、例えばフレーム３０Ｂ（図４参照）の最も上側の支柱３０Ｂａ（図４参照）に取り付けたときに、頂部と下端部とで重なり合う枚数を略均等にすることができる。これによれば、透過型スクリーン１１Ｄの表示面に良好な画質で映像を表示することが可能となる。これによれば、湾曲した形状の透過型スクリーン１１Ｄを容易に形成することができ、かつ、透過型スクリーン１１Ｄの表示面に明るさの差を感じない自然な見え方となるように映像を表示することができるので、映像光の画質を劣化させることなく、良好な画質で映像を表示することができる。
【００８４】
本発明は、前記した各実施形態及び変形例に限定されるものではない。
例えば、前記した各実施形態及び変形例に係る透過型スクリーンを構成する各シートに、音響透過性能をもたせてもよい。ここで、その一例として、第１実施形態に係る透過型スクリーン１０Ａの変形例に係る透過型スクリーン１０Ａ１（変形例３）について図７から図９および適宜図１、図２を参照して説明する。
【００８５】
図７に示すように、変形例３に係る透過型スクリーン１０Ａ１は、第１実施形態に係る透過型スクリーン１０Ａにおいて、当該透過型スクリーン１０Ａを構成する複数のシート１１ａ、１１ａ・・・を、音響透過用の穴部１２を複数設けたシート１１１ａ、１１１ａ・・・に交換してなるものである。つまり、変形例３に係る透過型スクリーン１０Ａ１は、シートの構成以外の構成は、第１実施形態に係る透過型スクリーン１０Ａの構成と同じである。また、変形例３に係る透過型スクリーン１０Ａ１を構成するシート１１１ａ、１１１ａ・・・は、音響透過用の穴部１２が設けられている点以外の構成は、第１実施形態に係る透過型スクリーン１０Ａを構成するシート１１ａ、１１ａ・・・の構成と同じである。このため、変形例３に係る透過型スクリーン１０Ａ１において、第１実施形態に係る透過型スクリーン１０Ａと共通する構成要素には同一の符号を付し、適宜図１および図２を参照して重複する説明を省略する。
【００８６】
透過型スクリーン１０Ａ１は、可撓性を有する帯状のシート１１１ａを面方向に複数枚並べると共に、映像光の透過方向に複数枚並べて構成されている。なお、図７では、図示の都合上、透過型スクリーン１０Ａ１を平面的に示している。この透過型スクリーン１０Ａ１を構成する複数のシート１１１ａ、１１１ａ・・・には、図７に示すように、音響透過用の微小な穴部１２が複数設けられている。この穴部１２は、シート１１１ａの全体に不規則に散らばって設けられている。図７では、それぞれ穴部１２が複数設けられた複数のシート１１１ａ、１１１ａ・・・を同一面上に並べてスクリーンシートを構成した例を示している。なお、図７では、穴部１２をわかりやすくするために強調して概念的に示したものにすぎず、実際の寸法、設置数、設置位置等と必ずしも一致するものではない。
【００８７】
この穴部１２の径は、観察者（観客）から視認されにくい微小な大きさとすることが望ましい。穴部１２の径の大きさは、全て同じとしてもよいし、スクリーンシートにおける位置等に応じて適宜変更してもよい。さらに、穴部１２の設置間隔は、均一であってもよいし、スクリーンシートにおける位置等に応じて適宜変更してもよい。
例えば、透過型スクリーン１０Ａ１の中央部から音響を集中的に透過させたい場合、シート１１１ａの長さ方向における中央部付近の穴部１２の設置間隔を小さくしたり、穴部１２の径を大きくしたりしてもよい。
【００８８】
ここで、シート１１１ａに設けられる穴部１２の径の大きさおよび設置間隔の設定の仕方について説明する。
１枚のシート１１１ａに不規則に設けられた穴部１２の割合をｐと仮定し、このシート１１１ａを映像光の透過方向に６枚重ね合わせたときに、映像光が穴部１２を全て通過する確率はｐ６となる。このとき、映像光が穴部１２を全て通過する確率ｐ６の理想の値を１０万分の１以下とすると、１枚のシート１１１ａにおける穴部１２の割合ｐは、１５パーセントとなる。ただし、穴部１２の割合ｐが５パーセント以下であると、音響特性が良好に得られないと予想されるため、穴部１２の割合ｐを５〜１５パーセントの間で設定することが望ましい。
【００８９】
そして、穴部１２の設置間隔は、視力１．０の観察者が中央にいて（正面から見て）見えない間隔であること、および、透過型スクリーン１０Ａ１に投影される面像と干渉しないこと、という条件を満たすように設定することが要求される。後者の条件について言及すると、穴部１２の間隔と投影される画像の画素の大きさが略同じ程度である場合、投影される面像と干渉し、モアレパターンが生じ画質妨害が生じてしまうことになる。そして、後者の条件のほうが要求としては厳しいので、ここでは、後者を要求条件とする。
【００９０】
次に、例えば、透過型スクリーン１０Ａ１を直径２０ｍのドーム状スクリーンとし、視距離を１０ｍとしたときの穴部１２の径の大きさおよび設置間隔の好適な設定例について説明する。直径２０ｍのドーム状スクリーンで視距離を１０ｍとしたときに画素構造が見えないようにするためには、画素の大きさを３ｍｍ以下とすることが条件となる。そして、この大きさの画素に対してモアレパターンを生じないためには、穴部１２の設置間隔はその半分程度以下であることが必要になる。この条件では穴部１２の設置間隔は１．５ｍｍ以下となる。このとき、穴部１２の割合ｐを例えば１０パーセント程度と仮定すると、穴部１２の径は０．６ｍｍ以下となる。穴部１２の径をこのような微小な大きさとすると、観察者（観客）から視認されにくくなり、良好な画質を維持することができる。
【００９１】
このようなシート１１１ａを、図８（ａ）に示すように、面方向に複数枚並べると共に、映像光の透過方向に、重なり合う枚数の差が３枚を超えないように、２〜６枚並べて透過型スクリーン１０Ａ１を構成している。また、このとき、同一面上で隣り合って配置されるシート１１１ａ、１１１ａの切れ目の線Ｃが映像光の透過方向において連続して重ならないように、映像光の透過方向に複数枚並べられるシート１１１ａ、１１１ａ・・・の面方向の位置を互いにずらして配置することとする。
【００９２】
ここで、図８（ｂ）に、図８（ａ）におけるＡ部分におけるシート１１１ａを、シート１１１ａの長手方向に対し垂直方向の切断面を拡大した図を示した。図８（ｂ）においては、穴部１２を分かりやすく示すために、全てのシート１１１ａ、１１１ａ・・・の切断面上に穴部１２が等間隔で複数配置された様子を示したが、実際は、このように穴部１２の設置位置を揃える必要はなく、シート１１１ａ、１１１ａ・・・の適宜位置に設けることができる。
【００９３】
次に、このように構成された透過型スクリーン１０Ａ１により得られる作用効果について説明する。
まず、透過型スクリーン１０Ａ１によれば、音響特性を良好にすることができる。
つまり、透過型スクリーン１０Ａ１によれば、図９（ａ）に示すように、透過型スクリーン１０Ａ１の背面側に配置されたスピーカ（図示せず）から出力された音波が最も背面側のシート１１１ａに入力されると、最も背面側のシート１１１ａにおける音波の入力位置の近くの穴部１２を通過して前面側のシート１１１ａに出力される。そして、シート１１１ａ２に入力された音波は、シート１１１ａにおける音波の入力位置の近くの穴部１２を通過してさらに前面側のシート１１１ａに出力される。このように、透過型スクリーン１０Ａ１の背面側に入力された音波が、順次伝達されて、映像光の透過方向に重なり合うシート１１１ａ、１１１ａ・・・のうち、最も前面側（最も観客席に近い側）のシート１１１ａの穴部１２、１２・・・から観客席側に順次出力される。このようにして、透過型スクリーン１０Ａ１の背面側に配置されたスピーカ（図示せず）から出力された音響を観客席側に伝えることができる。
【００９４】
さらに、透過型スクリーン１０Ａ１によれば、画質を良好に維持することができる。
ここで、例えば、従来の１枚で使用される背面投射型の透過型スクリーンにおいて、透過型スクリーン１０Ａ１と同等の音響透過性能を得ようとすると、穴部１２を、１枚で使用される背面投射型の透過型スクリーン全体に占める割合が１５パーセント程度となるように穴部１２を設けなければならないが、これは、ハイビジョンでは、全画素（２００万画素）中の３０万画素程度に相当する。そして、映像光は、透過型スクリーンの背面側に入射され、前面側から出射されるまでの間に、多少反射あるいは屈折し拡散されるが、概ね、図９（ｂ）に示すように直進する。
つまり、直進した映像光が、透過型スクリーンのスクリーン面全体の約１／４程度の箇所に設けられた穴部１２から観客席側に直接漏れ出すことになり、多大な画質の劣化を引き起こしてしまうことになる。従って、従来の１枚で使用される背面投射型の透過型スクリーンにおいて、画質を良好に維持しつつ、透過型スクリーン１０Ａ１と同等の音響透過性能をもたせることはできない。
【００９５】
これに対し、透過型スクリーン１０Ａ１によれば、映像光は、最も背面側のシート１１１ａ、１１１ａに入力され、最も観客席側のシート１１１ａ、１１１ａ・・・から観客席側に出射されるまでの間に、多少反射あるいは屈折し拡散されるが、概ね、図９（ｂ）に示すように直進する。このため、確率上、映像光が、シート１１１ａ、１１１ａ・・・の表面を透過せずに、穴部１２のみを通る場合もある。
【００９６】
しかし、透過型スクリーン１０Ａ１は、前記したように、穴部１２を不規則に複数設けたシート１１１ａを、映像光の透過方向に複数枚重ね合わされてなる。そして、例えば、シート１１１ａに、シート１１１ａの全体に占める割合が約１５パーセントとなるように穴部１２を不規則に複数設け、このようなシート１１１ａを映像光の透過方向に６枚重ねた場合を想定すると、穴部１２だけを通る映像光の割合は、（０．１５）６により、０．００００１１４となる。これは、ハイビジョン（２００万画素）では、全画素に対して約２０画素程度とごく僅かであるため、画質の劣化はほとんど生じないといえる。
【００９７】
さらに、透過型スクリーン１０Ａ１は、隣り合うシート１１１ａ、１１１ａの間の切れ目が映像光の透過方向に重なり合わないように、シート１１１ａ、１１１ａの面方向の位置をずらして映像光の透過方向に複数枚重ね合わせることによって構成されているため、穴部１２のみを通る映像光の割合をより少なくすることができる。
つまり、透過型スクリーン１０Ａ１によれば、前記した構成により、背面側に配置されたプロジェクタ２０から投射される映像光が、シート１１１ａ、１１１ａ・・・に設けられた複数の穴部１２から前面側の観客席に直接漏れ出す確率を下げることができる。
【００９８】
以上のように、透過型スクリーン１０Ａ１によれば、画質の劣化をほとんど生じさせることなく、良好な音響特性を得ることができる。
【００９９】
ここでは、第１実施形態に係る透過型スクリーン１０Ａを構成するシート１１ａを、穴部１２を設けたシート１１１ａに替えて、第１実施形態の変形例に係る透過型スクリーン１０Ａ１を構成したが、これに限られるものではなく、第２実施形態に係る透過型スクリーン１０Ｂを構成する複数のシート１１ａ、１１ａを・・・シート１１１ａ、１１１ａ・・・に交換してもよい。また、変形例１に係る透過型スクリーン１０Ｃを構成する複数のシート１１ｃ、１１ｃ・・・に、穴部１２を複数設けてもよいし、変形例２に係る透過型スクリーン１０Ｄを構成する複数のシート１１ｃ、１１ｃ・・・に、穴部１２を複数設けてもよい。このようにすると、第２実施形態に係る透過型スクリーン１０Ｂ、変形例１、２に係る透過型スクリーン１０Ｃ、１０Ｄにおいても、画質を良好に維持しつつ、音響透過性能をもたせることができる。
【０１００】
また、前記した各実施形態および変形例では、透過型スクリーンの形状を、表面が平らな矩形状または表面が湾曲した形状としたが、これに限られるものではない。さらに、前記した各実施形態では、透過型スクリーンを舞台Ｓ上に配置して使用する例を示したが、これに限られるものではなく、例えば、透過型スクリーンをテレビ画面として使用しても良い。
【符号の説明】
【０１０１】
１Ａ、１Ｂ  映像表示装置
１０Ａ、１０Ｂ、１０Ｃ、１０Ｄ、１０Ａ１  透過型スクリーン
１１ａ、１１ｃ、１１１ａ  シート
１２  穴部
２０  プロジェクタ
３０Ａ、３０Ｂ  フレーム
【図１】
2011128604.tif 000003
【図２】
2011128604.tif 000004
【図３】
2011128604.tif 000005
【図４】
2011128604.tif 000006
【図５】
2011128604.tif 000007
【図６】
2011128604.tif 000008
【図７】
2011128604.tif 000009
【図８】
2011128604.tif 000010
【図９】
2011128604.tif 000011